(57)【要約】【課題】電子機器の押ボタンユニットにおいて、電子機器の筐体のデザイン種類に関わらず、異なるデザインの筐体に対応でき、成形金型を共用化できる。【解決手段】押ボタンユニット２は、電子機器の筐体から露出される操作ボタン２１と、操作ボタン２１が装着されるプレート部３１を有した操作ボタンプレート２２とを備える。操作ボタンプレート２２は、プレート部３１を支持するための支持部３２と、プレート部３１と支持部３２とを連結する撓み部３３と、筐体内のスイッチを押圧するための突起部３４とを有する。プレート部３１は、操作ボタン２１の外径と略等しい幅寸法を持つ凹所５１と、凹所５１内に位置する長孔５３とを有する。操作ボタン２１は、フロントパネルのデザインに応じて、プレート部３１の凹所５１内の適宜の位置に嵌め込まれて位置決めされ、長孔５３に通されるビス４０によりプレート部３１に取付けられる。【選択図】図３
2006066325.tif 000002
【特許請求の範囲】
【請求項１】
筐体内に配置された回路基板に実装されたスイッチと、筐体のフロントパネルの開口から先端部が露出され前記スイッチを外部から押圧操作するための操作ボタンと、前記操作ボタンが装着されるプレート部を有した操作ボタンプレートとを備え、この操作ボタンプレートは、該プレート部を前記フロントパネルの内面に支持するための支持部と、前記プレート部と支持部との間を連結する撓み性を持つ撓み部と、スイッチ押圧用の突起部とを有し、
前記操作ボタンが押されることにより前記プレート部と共に前記突起部が移動して前記スイッチをスイッチング動作させる電子機器の押ボタンユニットにおいて、
前記操作ボタンプレートは、前記操作ボタンの基端の外径と略等しい幅寸法を持つ該操作ボタン位置決め用の凹所と、該凹所内に位置し該凹所を形成する上下の後退壁に略平行に設けられた長孔とを有し、前記後退壁には、前記操作ボタンの位置決め用凹凸が形成され、
前記操作ボタンは、前記凹所に嵌め込まれ、該操作ボタンの基端の外周面が前記位置決め用凹凸に接することにより該凹所内で位置決めされ、かつ、前記操作ボタンプレートの背面側から前記長孔に通されたビスによりビス止めされることにより前記操作ボタンプレートに取付けられ、
前記操作ボタンと操作ボタンプレートとが別体とされ、フロントパネルのデザイン種類に関わらず操作ボタンを操作ボタンプレートの適宜の位置に取付け可能としたことを特徴とする電子機器の押ボタンユニット。
【請求項２】
筐体内に配置された回路基板に実装されたスイッチと、筐体の開口から先端部が露出され前記スイッチを外部から押圧操作するための操作ボタンと、前記操作ボタンが装着されるプレート部を有した操作ボタンプレートとを備え、この操作ボタンプレートは、該プレート部を前記筐体の内部に支持するための支持部と、前記プレート部と支持部との間を連結する撓み性を持つ撓み部と、スイッチ押圧用の突起部とを有し、
前記操作ボタンが押されることにより前記プレート部と共に前記突起部が移動して前記スイッチをスイッチング動作させる電子機器の押ボタンユニットにおいて、
前記操作ボタンと操作ボタンプレートとが別体とされ、筐体のデザイン種類に関わらず操作ボタンを操作ボタンプレートの適宜の位置に取付け可能としたことを特徴とする電子機器の押ボタンユニット。
【請求項３】
前記操作ボタンプレートは、前記操作ボタンの基端の外径と略等しい幅寸法を持つ該操作ボタン位置決め用の凹所を有し、
前記操作ボタンは、前記凹所に嵌め込まれて前記操作ボタンプレートに取付けられる請求項２に記載の電子機器の押ボタンユニット。
【発明の詳細な説明】
【技術分野】
【０００１】
本発明は、例えばＡＶ機器等の電子機器に装備され、電子機器の筐体内に配置されるスイッチを筐体外部からの操作によりスイッチング動作させる電子機器の押ボタンユニットに関するものである。
【背景技術】
【０００２】
従来から、電子機器の押ボタンユニットにおいて、電子機器の筐体内に配置された回路基板に実装されるスイッチと、スイッチを電子機器の筐体外部から押圧操作するための操作ボタンと、操作ボタンの操作を受けてスイッチ押圧用の突起部にてスイッチを押圧するための操作ボタンプレートとを備えたものがある。操作ボタンプレートはプレート部を有しており、操作ボタンはプレート部の表側に設けられ、スイッチ押圧用の突起部はプレート部の裏側に設けられている。プレート部は、撓み性を持つ撓み部を介して筐体の内面に支持され、操作ボタンの先端部が筐体の開口から露出される。
【０００３】
このような電子機器の押ボタンユニットは、筐体の外部から操作ボタンが押されることにより、撓み部が撓んでプレート部と共に突起部が移動し、スイッチが突起部に押圧されてスイッチング動作する。押ボタンユニットの操作ボタンと操作ボタンプレートとは、成形金型を用いて、樹脂により一体成形される。
【０００４】
また、操作ボタンの先端部と筐体の開口との位置合せを容易とするために、操作ボタンの先端部が筐体の開口面の伸びる方向に所定の範囲だけ変位可能なように操作ボタンホルダをフレームに保持するようにした押ボタンスイッチが知られている（例えば、特許文献１参照）。また、操作ボタンと基板上のスイッチとの相対的な位置ずれが生じないように、プリント配線基板を操作ボタンユニットの台座部に形成されたスロットに圧入して、プリント配線基板を操作ボタンユニットにしっかりと固定するようにした操作ボタンユニットが知られている（例えば、特許文献２参照）。また、押ボタン本体を筐体に取付けた後に押ボタン押圧部の位置を微調整できるように、押ボタン本体の位置決め形状とは別に、押ボタン押圧部の近傍に位置決め形状を設けた押ボタンの取付け構造が知られている（例えば、特許文献３参照）。
【特許文献１】特開平１０−３３４７６１号公報
【特許文献２】特開平９−３０６２９３号公報
【特許文献３】特開平７−２６２８７７号公報
【発明の開示】
【発明が解決しようとする課題】
【０００５】
ところで、電子機器の筐体のデザインを変更すると、筐体の操作ボタン用開口と筐体内に配置されるスイッチとの位置関係が変わってしまうため、押ボタンユニットの操作ボタンとスイッチ押圧用の突起部の位置関係を筐体のデザイン変更に合せて変更しなければならない。すなわち、電子機器の筐体のデザインを変更する場合、それまでの押ボタンユニットでは対応できず、操作ボタンとスイッチ押圧用の突起部との位置関係がそれまでとは異なる新規なデザインの押ボタンユニットを作製する必要がある。
【０００６】
ところが、上述した従来の押ボタンユニットにおいては、操作ボタンと操作ボタンプレートは成形金型を用いて樹脂により一体成形されているため、新規なデザインの押ボタンユニットを成形するには、成形金型を新規に作製する必要があり、図面作成の手間により作業効率が悪く、また、金型費用の発生によりコスト高となる。なお、上述した特許文献１乃至特許文献３に開示の内容を適用したとしても、上記の課題を解決することはできない。
【０００７】
本発明は、上記課題を解決するためになされたものであり、電子機器の筐体のデザイン種類に関わらず、異なるデザインの筐体に対応でき、成形金型を共用化できる電子機器の押ボタンユニットを提供することを目的とする。
【課題を解決するための手段】
【０００８】
上記目的を達成するために請求項１の発明は、筐体内に配置された回路基板に実装されたスイッチと、筐体のフロントパネルの開口から先端部が露出されスイッチを外部から押圧操作するための操作ボタンと、操作ボタンが装着されるプレート部を有した操作ボタンプレートとを備え、この操作ボタンプレートは、該プレート部をフロントパネルの内面に支持するための支持部と、プレート部と支持部との間を連結する撓み性を持つ撓み部と、スイッチ押圧用の突起部とを有し、操作ボタンが押されることによりプレート部と共に突起部が移動してスイッチをスイッチング動作させる電子機器の押ボタンユニットにおいて、操作ボタンプレートは、操作ボタンの基端の外径と略等しい幅寸法を持つ該操作ボタン位置決め用の凹所と、該凹所内に位置し該凹所を形成する上下の後退壁に略平行に設けられた長孔とを有し、後退壁には、操作ボタンの位置決め用凹凸が形成され、操作ボタンは、凹所に嵌め込まれ、該操作ボタンの基端の外周面が位置決め用凹凸に接することにより該凹所内で位置決めされ、かつ、操作ボタンプレートの背面側から長孔に通されたビスによりビス止めされることにより操作ボタンプレートに取付けられ、操作ボタンと操作ボタンプレートとが別体とされ、フロントパネルのデザイン種類に関わらず操作ボタンを操作ボタンプレートの適宜の位置に取付け可能としたものである。
【０００９】
請求項２の発明は、筐体内に配置された回路基板に実装されたスイッチと、筐体の開口から先端部が露出されスイッチを外部から押圧操作するための操作ボタンと、操作ボタンが装着されるプレート部を有した操作ボタンプレートとを備え、この操作ボタンプレートは、該プレート部を筐体の内部に支持するための支持部と、プレート部と支持部との間を連結する撓み性を持つ撓み部と、スイッチ押圧用の突起部とを有し、操作ボタンが押されることによりプレート部と共に突起部が移動してスイッチをスイッチング動作させる電子機器の押ボタンユニットにおいて、操作ボタンと操作ボタンプレートとが別体とされ、筐体のデザイン種類に関わらず操作ボタンを操作ボタンプレートの適宜の位置に取付け可能としたものである。
【００１０】
請求項３の発明は、請求項２に記載の電子機器の押ボタンユニットにおいて、操作ボタンプレートは、操作ボタンの基端の外径と略等しい幅寸法を持つ該操作ボタン位置決め用の凹所を有し、操作ボタンは、凹所に嵌め込まれて操作ボタンプレートに取付けられるものである。
【発明の効果】
【００１１】
請求項１の発明によれば、操作ボタンを操作ボタンプレートの適宜の位置に取付けることにより、電子機器の色々なデザインのフロントパネルに対応できる押ボタンユニットを得ることができる。すなわち、押ボタンユニットを成形するための成形金型を共用化して、電子機器の色々なデザインのフロントパネルに対応できる押ボタンユニットを得ることができる。従って、電子機器のフロントパネルのデザインを変更しても、押ボタンユニットを成形するための成形金型を新規に作製する必要がなく、成形金型の作製費用が削減できて低コスト化になると共に、成形金型の図面作成の手間が省けて作業効率が向上する。
【００１２】
また、操作ボタンプレートが操作ボタン位置決め用の凹所を有するため、操作ボタンを操作ボタン位置決め用の凹所に嵌め込むことにより容易に位置決めでき、容易に操作ボタンを操作ボタンプレートに取付けることができる。しかも、操作ボタン位置決め用の凹所を形成する後退壁には、操作ボタンの位置決め用凹凸が形成されているため、操作ボタン位置決め用の凹所に嵌め込んだ操作ボタンは、操作ボタンの外周面が位置決め用凹凸に接することにより、位置ずれを生じることなく位置決めされ、これにより、より一層容易に操作ボタンを操作ボタンプレートに取付けることができる。さらに、操作ボタン位置決め用の凹所内に長孔が設けられているため、この長孔にビスを通して容易に操作ボタンをビス止めすることができ、また、操作ボタンをビス止めすることにより、操作ボタンを操作ボタンプレートに強固に固定することができる。
【００１３】
請求項２の発明によれば、操作ボタンを操作ボタンプレートの適宜の位置に取付けることにより、電子機器の色々なデザインの筐体に対応できる押ボタンユニットを得ることができる。すなわち、押ボタンユニットを成形するための成形金型を共用化して、電子機器の色々なデザインの筐体に対応できる押ボタンユニットを得ることができる。従って、電子機器の筐体のデザインを変更しても、押ボタンユニットを成形するための成形金型を新規に作製する必要がなく、成形金型の作製費用が削減できて低コスト化になると共に、成形金型の図面作成の手間が省けて作業効率が向上する。
【００１４】
請求項３の発明によれば、操作ボタンプレートが操作ボタン位置決め用の凹所を有するため、操作ボタンを操作ボタン位置決め用の凹所に嵌め込むことにより容易に位置決めでき、容易に操作ボタンを操作ボタンプレートに取付けることができる。
【発明を実施するための最良の形態】
【００１５】
以下、本発明を具体化した実施形態による電子機器の押ボタンユニットについて図面を参照して説明する。図１は、押ボタンユニットを備える電子機器である光ディスクプレイヤの概略構成を示す。
【００１６】
光ディスクプレイヤ１は、光ディスクに対して映像・音声等の情報を記録／再生する電子機器である。この光ディスクプレイヤ１は、光ディスクプレイヤ１の電源をオン／オフするための押ボタンユニット２を備えており、押ボタンユニット２の操作ボタン２１の先端部が筐体３を構成するフロントパネル４の開口から露出されている。
【００１７】
また、光ディスクプレイヤ１は、光ディスクを挿入するためのディスク挿入口５と、光ディスクプレイヤ１の動作状態を表示する液晶表示部６と、光ディスクに対する情報の記録・再生等の各種動作を指示するための複数の操作スイッチ７と、ＡＶ信号入出力用ケーブルを接続するための端子部（不図示）を被う開閉自在なドア８とを備えている。これらディスク挿入口５、液晶表示部６、操作スイッチ７、及びドア８は、フロントパネル４に設けられている。
【００１８】
図２（ａ）（ｂ）は、押ボタンユニット２の概略構成を示す。押ボタンユニット２は、筐体３の内部に配置された回路基板９に実装されるタクトスイッチ２０と、タクトスイッチ２０を筐体３の外部から押圧操作するための操作ボタン２１と、操作ボタン２１が装着される操作ボタンプレート２２とを備える。
【００１９】
操作ボタンプレート２２は、プレート部３１と、プレート部３１をフロントパネル４の内面に支持するための支持部３２と、プレート部３１と支持部３２との間を連結する撓み性を持つ撓み部３３と、タクトスイッチ２０を押圧するための押圧用突起部３４とを有し、これらが樹脂により一体成形されている。操作ボタン２１は、樹脂により操作ボタンプレート２２と別体に成形されており、ビス４０及びワッシャ４１を用いて操作ボタンプレート２２のプレート部３１に取付けられている。操作ボタンプレート２２の支持部３２は、フロントパネル４の内面の取付用突起４ａに嵌着固定されており、これにより、操作ボタン２１及び操作ボタンプレート２２がフロントパネル４の内面に支持され、操作ボタン２１の先端部がフロントパネル４の開口から露出される。
【００２０】
このような構成の押ボタンユニット２は、フロントパネル４の外側から操作ボタン２１が押されることにより、撓み部３３が撓んで押圧用突起部３４がプレート部３１と共に移動し，タクトスイッチ２０が突起部３４に押圧されてスイッチング動作する。タクトスイッチ２０のスイッチング信号は制御回路部（不図示）により検出され、これにより、光ディスクプレイヤ１の電源がオン／オフされる。
【００２１】
図３は、上記操作ボタン２１及び操作ボタンプレート２２の構成を示す。操作ボタン２１は、円柱形状に成形されている。操作ボタンプレート２２のプレート部３１は、操作ボタン２１の位置決め用凹所５１と、操作ボタン２１の取付用のビス４０を挿し通すための長孔５３とを有し、位置決め用凹所５１を形成する上下の後退壁５２ａ，５２ｂには、操作ボタン２１の位置決め用凹凸５４が形成されている。位置決め用凹所５１は、上下方向に操作ボタン２１の基端の外径と略等しい幅寸法を持ち、左右方向に操作ボタン２１の基端の外径よりも長い長さ寸法を持っている。長孔５３は、位置決め用凹所５１内に位置し、後退壁５２ａ，５２ｂに略平行に設けられている。また、操作ボタンプレート２２の支持部３２は、上記フロントパネル４の取付用突起４ａ（図２（ａ）参照）に嵌着するための取付用孔３２ａを有している。このような構成の操作ボタン２１と操作ボタンプレート２２は、例えば１つの成形金型を用いて共取り成形（同じ工程で一緒に成形）される。
【００２２】
操作ボタン２１は、プレート部３１の位置決め用凹所５１に嵌め込まれて、ビス４０にてビス止めされることにより、プレート部３１に取付けられる。このとき、操作ボタン２１は、フロントパネル４のデザインに応じて位置決め用凹所５１内で左右方向の適宜の位置に嵌め込まれ、位置決め用凹所５１に嵌め込まれた操作ボタン２１は、操作ボタン２１の基端の外周面が位置決め用凹凸５４に接することにより、位置ずれが防止されて位置決めされる。操作ボタン２１は、このように位置決め用凹所５１内に嵌め込まれて位置決めされた状態で、ビス４０にてビス止めされる。ビス４０は、プレート部３１の背面側からワッシャ４１を介して長孔５３に通されて、操作ボタン２１に螺合される。
【００２３】
このようにして組立てられた操作ボタン２１及び操作ボタンプレート２２は、支持体３２の取付用孔３２ａを上記フロントパネル４の取付用突起４ａに嵌着することにより、上述のようにフロントパネル４の内面に支持され、操作ボタン２１の先端部がフロントパネル４の開口から露出される。
【００２４】
図４（ａ）（ｂ）（ｃ）は、後退壁５２ａ，５２ｂに形成される位置決め用凹凸５４の例を示す。図４（ａ）に示す位置決め用凹凸５４は、複数の三角形状を所定のピッチで形成したものである。図４（ｂ）に示す位置決め用凹凸５４は、複数の円弧形状を所定のピッチで形成したものであり、図４（ｃ）に示す位置決め用凹凸５４は、複数の矩形形状を所定のピッチで形成したものである。このように、位置決め用凹凸５４は、様々なタイプが可能であり、何れのタイプの位置決め用凹凸５４においても、操作ボタン２１の基端の外周面が位置決め用凹凸５４に接することにより、操作ボタン２１の位置ずれを防止して、操作ボタン２１を位置決めすることができる。
【００２５】
このような構成の操作ボタンユニット２によれば、操作ボタン２１を操作ボタンプレート２２の適宜の位置に取付けることにより、色々なデザインのフロントパネル４に対応できる押ボタンユニット２を得ることができる。すなわち、押ボタンユニット２を成形するための成形金型を共用化して、色々なデザインのフロントパネル４に対応できる押ボタンユニット２を得ることができる。従って、フロントパネル４のデザインを変更しても、操作ボタン２１及び操作ボタンプレート２２を成形するための成形金型を新規に作製することなく、操作ボタン２１の操作ボタンプレート２２への取付位置を変更するだけで、デザイン変更後のフロントパネル４に対応できる押ボタンユニット２を得ることができる。
【００２６】
また、操作ボタンプレート２２が操作ボタン２１の位置決め用凹所５１を有するため、操作ボタン２１を位置決め用凹所５１に嵌め込むことにより容易に位置決めでき、容易に操作ボタン２１を操作ボタンプレート２２に取付けることができる。しかも、位置決め用凹所５１を形成する後退壁５２ａ，５２ｂには、操作ボタン２１の位置決め用凹凸５４が形成されているため、位置決め用凹所５１に嵌め込んだ操作ボタン２１は、操作ボタン２１の外周面が位置決め用凹凸５４に接することにより、位置ずれを生じることなく位置決めされ、より一層容易に操作ボタン２１を操作ボタンプレート２２に取付けることができる。さらに、位置決め用凹所５１内に長孔５３が設けられているため、この長孔５３にビス４０を通して容易に操作ボタン２１をビス止めすることができ、また、操作ボタン２１をビス止めすることにより、操作ボタン２１を操作ボタンプレート２２に強固に固定することができる。
【００２７】
なお、本発明は、上記実施形態の構成に限られず、種々の変形が可能である。例えば、上記実施形態において、操作ボタン２１は、ビス４０を用いずに、接着材等を用いて操作ボタンプレート２２に固定してもよく、また、位置決め用凹所５１に圧入して固定してもよい。操作ボタンプレート２２の位置決め用凹所５１は、上下方向に操作ボタン２１の基端の外径と略等しい幅寸法を持ち、左右方向に操作ボタン２１の基端の外径よりも長い長さ寸法を持つものに限られず、例えば左右方向に操作ボタン２１の基端の外径と略等しい幅寸法を持ち、上下方向に操作ボタン２１の基端の外径よりも長い長さ寸法を持つものであってもよい。
【００２８】
位置決め用凹所５１の後退壁５２ａ，５２ｂには、必ずしも位置決め用凹凸５４を設ける必要はなく、操作ボタン２１の基端の外周面と後退壁５２ａ，５２ｂとの摩擦力によって、操作ボタン２１の位置ずれを防止して、操作ボタン２１を位置決めするようにしてもよい。操作ボタンプレート２２は、必ずしも位置決め用凹所５１を有する必要はなく、操作ボタン２１を操作ボタンプレート２２の適宜の位置に取付けることが可能な構成であれば、どのような構成であってもよい。
【００２９】
押ボタンユニット２は、操作ボタン２１が筐体の上面パネルや側面パネルから露出するように装備されてもよい。また、押ボタンユニット２は、電源をオン／オフする以外に、例えば光ディスクに対する情報の記録・再生等の各種動作を指示する用途に用いてもよい。すなわち、操作スイッチ７を押ボタンユニット２と同様の構成にしてもよい。また、押ボタンユニット２は、光ディスクプレイヤ１に限られず、ディスプレイ装置や、ＶＣＲ、ハードディスクレコーダ等のＡＶ機器にも装備可能であり、さらに、画像表示プロジェクタや、プリンタ等にも装備可能である。
【図面の簡単な説明】
【００３０】
【図１】本発明の一実施形態に係る押ボタンユニットを備える光ディスクプレイヤの概略構成を示す斜視図。
【図２】同押ボタンユニットの構成を示す図１のＰ−Ｐ線断面に相当する図であり、（ａ）は押ボタンユニットの操作ボタンを押圧していない状態での断面図、（ｂ）は同操作ボタンを押圧している状態での断面図。
【図３】同押ボタンユニットの操作ボタン及び操作ボタンプレートを前方から見た分解斜視図。
【図４】（ａ）（ｂ）（ｃ）は後退壁に形成される位置決め用凹凸の例を示す。
【符号の説明】
【００３１】
１    光ディスクプレイヤ（電子機器）
２    押ボタンユニット
３    筐体
４    フロントパネル
９    回路基板
２０    タクトスイッチ
２１    操作ボタン
２２    操作ボタンプレート
３１    プレート部
３２    支持部
３３    撓み部
３４    押圧用突起部
４０    ビス
４１    ワッシャ
５１    位置決め用凹所
５２ａ，５２ｂ    後退壁
５３    長孔
５４    位置決め用凹凸
【図１】
2006066325.tif 000003
【図２】
2006066325.tif 000004
【図３】
2006066325.tif 000005
【図４】
2006066325.tif 000006